(57)【要約】  【目的】  中間部に最大外径を備えた軸筒であっても、中間部に結合部分を設けたり、中間部を厚肉状にすることなく形成できる、成形性及び視覚的効果の高い、意匠性に優れた筆記具を提供する。  【構成】  少なくとも一端を開口し、大外径部と小外径部とを備えた軸筒２を用いた筆記具１であって、前記軸筒２が一部材からなる。大外径部が軸筒中間部２１に位置し、小外径部が開口部２２に位置する。中間部２１の内径Ａが開口部２２の内径Ｂより大きい。前記中間部２１の最大内径Ａが、開口部２２の内径Ｂの１．５倍以上である。  【選択図】  図２
2007261193.tif 000002
【特許請求の範囲】
【請求項１】
少なくとも一端を開口し、大外径部と小外径部とを備えた軸筒を用いた筆記具であって、前記軸筒が一部材からなり、大外径部が軸筒中間部に位置し、小外径部が開口部に位置すると共に、中間部の内径が開口部の内径より大きいことを特徴とする筆記具。
【請求項２】
前記中間部の最大内径が、開口部の内径の１．５倍以上であることを特徴とする請求項１記載の筆記具。
【請求項３】
前記軸筒の一端が開口し、他端が中間部の外径より小さくなるように封鎖されることを特徴とする請求項１又は２に記載の筆記具。
【請求項４】
前記軸筒がブロー成形により形成されることを特徴とする請求項１乃至３のいずれかに記載の筆記具。
【請求項５】
前記軸筒がポリカーボネート樹脂からなることを特徴とする請求項１乃至４のいずれかに記載の筆記具。
【請求項６】
前記軸筒の全長が１００ｍｍ以下であることを特徴とする請求項１乃至５のいずれかに記載の筆記具。
【請求項７】
前記軸筒表面の開口部近傍に複数個の凹部を設けてなることを特徴とする請求項１乃至６のいずれかに記載の筆記具。
【発明の詳細な説明】
【技術分野】
【０００１】
本発明は、筆記具に関する。更には、意匠性に優れた筆記具に関する。
【背景技術】
【０００２】
従来より、軸筒中間部分の外径を大きく設定した形状の筆記具が開示されている（例えば特許文献１参照）。
前記筆記具は意匠性及び把持性に優れるため広く用いられているが、軸筒の成形性及び組立性を考慮し、個々に成形した二部材を結合させた軸筒が用いられるので、中間部（最大外径部分）で分割可能な構造を有している。そのため、軸筒を透明にした場合、結合（螺合や嵌合）部分が透けて視認されるので、意匠性を損なうことがある。
また、一部材で成形する場合には、中間部（外径が大きい部分）を厚肉状に成形する必要がある。そのため、厚肉に設定した部分で肉厚変動が生じ易くなるので、ヒケ等が発生して外観不良となることがある。
【特許文献１】実開昭５７−６２０８６号公報
【発明の開示】
【発明が解決しようとする課題】
【０００３】
本発明は、前記問題を解決するものであって、中間部に最大外径を備えた軸筒であっても、中間部に結合部分を設けたり、中間部を厚肉状にすることなく形成できる、成形性及び視覚的効果の高い、意匠性に優れた筆記具を提供するものである。
【課題を解決するための手段】
【０００４】
本発明は、少なくとも一端を開口し、大外径部と小外径部とを備えた軸筒を用いた筆記具であって、前記軸筒が一部材からなり、大外径部が軸筒中間部に位置し、小外径部が開口部に位置すると共に、中間部の内径が開口部の内径より大きいことを要件とする。
更に、前記中間部の最大内径が、開口部の内径の１．５倍以上であること、前記軸筒の一端が開口し、他端が中間部の外径より小さくなるように封鎖されること、前記軸筒がブロー成形により形成されること、前記軸筒がポリカーボネート樹脂からなること、前記軸筒の全長が１００ｍｍ以下であること、前記軸筒表面の開口部近傍に複数個の凹部を設けてなることを要件とする。
尚、本発明において「前」とは、ペン先側を示し、「後」とは、軸筒側を示す。
【発明の効果】
【０００５】
本発明の請求項１により、中間部の肉厚を大きくすることなく、開口部外径よりも中間部外径を大きくすることができ、意匠性の高い筆記具が得られる。
【０００６】
本発明の請求項２により、筆記時に握り易い形状の軸筒が一部材で構成できる。
【０００７】
本発明の請求項３により、最小限の部品点数で、意匠性が高く握り易い軸筒を形成できる。
【０００８】
本発明の請求項４により、意匠性が高いデザインの軸筒を容易に成形できる。
【０００９】
本発明の請求項５により、耐熱性、透明性が高く、高強度の軸筒が得られる。
【００１０】
本発明の請求項６により、多種の握り方で把持できると共に、意匠性の高いものとなる。
【００１１】
本発明の請求項７により、グリップ部材を用いなくても安定した把持状態を得ることができる。
【発明を実施するための最良の形態】
【００１２】
本発明の筆記具は、中間部に位置する大外径部と開口部に位置する小外径部とを備え、中間部の内径が開口部の内径より大きく設定された一部材からなる軸筒を用いた意匠性の高い筆記具である。
【００１３】
前記軸筒は、一端又は両端を開口する一部材からなる筒状物であり、外面に大外径部と小外径部とを備えている。また、前記大外径部は軸筒中間部に位置すると共に、小径部は開口部（一端のみを開口する場合は開口部又は他端部）に位置する。更に、前記中間部の内径が開口部の内径より大きく形成されている。
前記要件を備えることで、中間部の肉厚を大きくすることなく、開口部外径よりも中腹部外径を大きくすることができるので、部品点数を増すことなく意匠性の高い筆記具部材（軸筒）を形成することが可能となる。
【００１４】
その際、前記中間部の最大内径が開口部の最小内径の１．５倍以上、好ましくは２倍以上になるように設定することが好ましい。１．５倍以上とすることで、中間部の外径（外面）を充分に大きくすることができるため、筆記時に握り易く、意匠性のより高い形状の軸筒が得られる。
【００１５】
前記開口部には、ペン先を直接又は接続部材を介して設けたり、レフィル形態のものを収容保持するために口金や尾栓を接続することで封鎖することができる。また、後端押圧式筆記具とする場合には、前方よりペン先が出没するように開口しておき、後方に押圧用ノブを設けることができる。
特に、一端のみを開口し、他端を中間部の外径（外面）より小さくなるように封鎖した軸筒を形成することで、尾栓を用いる必要がなくなるので、最小限の部品点数で意匠性の高い軸筒を形成できる。
【００１６】
また、前記軸筒の全長を１００ｍｍ以下、好ましくは９０ｍｍ以下とすることが好ましい。全長を小さく設定することで、より意匠性が高くなると共に、把持した際に手の中に収まり易い形状となる。
その際、開口部近傍の軸筒表面に複数個の凹部を設け、把持部とすることが好ましい。それにより、筆記時に高いグリップ効果が発現されるため手が滑ることを抑制できる。
特に、前記凹部は等間隔に３個形成することがグリップ性と意匠性の点で最適である。
【００１７】
前記軸筒は、樹脂材料をブロー成形により製造することが好ましい。ブロー成形を用いることで、前述の軸筒を容易に成形することができる。
特に、前記樹脂材料としては、透明性が高く、耐熱性、耐衝撃性に優れていることからポリカーボネート樹脂が適している。
【００１８】
本発明の筆記具は、前記軸筒を用いたものであれば、構造や形状や構成等を特に限定することなく汎用のボールペンやマーキングペン（キャップ式、ペン先繰出式）の形態で使用できる。
例えば、マーキングペンとしては、繊維ペン体、フェルトペン体、プラスチックペン体、万年筆型金属ペン体等を筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内部に直接インキを収容して、弁機構により前記筆記先端部に所定量のインキを供給する構造のマーキングペン（サインペン、フェルトペン、筆ペン等）が挙げられる。
また、ボールペンとしては、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内にインキ組成物を充填したインキ収容管を有し、該インキ収容管はボールを先端部に装着したチップに連通しており、更にインキの端面には逆流防止用に液栓や固体栓等のインキ追従体が密接している構造のボールペンを例示できる。
【実施例】
【００１９】
本発明の実施例を以下の図面に従って説明する。
図１は本発明の筆記具の外観図であり、図２は軸筒部分の縦断面図である。
【００２０】
筆記具１は、一端を開口する軸筒内にボールペンレフィルを収容し、口金３によりレフィルを保持した状態で開口部２２を封鎖する筆記具本体と、該筆記具本体のペン先側（口金３側）に嵌着されるキャップ４とからなる。
【００２１】
前記軸筒２は、ＰＰ樹脂、ＰＣ樹脂、ＰＳ樹脂、ＰＥＴ樹脂等の合成樹脂をブロー成形することで得られる大外径部と小外径部とを備えた中空状成形物（具体的にはポリカーボネート樹脂成形物）であり、全長（螺子部２５を含む）を７５ｍｍに設定されている。
前記軸筒２の中間部２１は最大外径を有する部分であり、内径Ａ（軸筒２の最大内径）が２０ｍｍである。また、開口部２２（外周に螺子部２５を備える小外径部）の内径Ｂは５ｍｍであり、後方端部は中間部２１から緩やかなテーパー状に延びる凸部形状で封鎖されている。
更に、前記軸筒２表面の開口部２２近傍（螺子部２５に口金３を螺着した状態で被覆されない箇所）には、等間隔に形成された３個の凹部２３が楕円状に形成される。
前記形状及び構成により、把持状態での握り心地が高く、外観の意匠性に富んだものとなっている。
また、外側表面には像や文字等の加飾（加飾部２４）が施されており、外観意匠をより高めている。前記加飾部２４はパッド印刷により設けられており、曲面の多い外観形状であっても広範囲に亘って鮮明かつ確実に印像を形成することができる。
【００２２】
前記軸筒２内には、ボールペンチップを備えたインキ収容管内にインキ組成物及びインキ追従体を内蔵したボールペンレフィルが開口部２２から挿入された状態で配設されており、前記開口部２２の外側表面に形成される螺子部２５に口金３（具体的には真鍮製）を螺着することによりペン先突出状態で保持されている。
【００２３】
前記筆記具１のペン先側には、ゴムシール（ペン先シール部材）を内設する樹脂製キャップ４が口金３後方を露呈した状態で嵌着されており、ペン先の乾燥を抑制している。
前記キャップ４の下方（底面部）は、接地面と水平になるように形成されると共に、軸筒２の最大外径よりも大きい円形底面を有するため、立設状態（ペン先下向状態）で安定して保持できるようになっている。
【図面の簡単な説明】
【００２４】
【図１】本発明の筆記具の一実施例を示す外観図である。
【図２】軸筒の縦断面図である。
【符号の説明】
【００２５】
１  筆記具
２  軸筒
２１  中間部
２２  開口部
２３  凹部
２４  加飾部
２５  螺子部
３  口金
４  キャップ
Ａ  中間部の内径
Ｂ  開口部の内径
【図１】
2007261193.tif 000003
【図２】
2007261193.tif 000004